(57)【要約】【課題】小規模で、短期的に、イベントや催し物、特に自治会、地域、近所の集会に利用し、設置、移動、収納がしやすい表示内照看板を提供する。【解決手段】電源に、ソーラーモジュールを利用し、発電、その電力を充放電式電池に、蓄電、必要に応じ、ＬＥＤライトを要した内照式看板文字を表示するもので、他からの電源設備が不要で、サイズ、種類や、看板構成には、半透明品使用の他、特定品はなく、設置も容易な構造を特徴とする、ソーラー充放電式ＬＥＤ光内照看板が完成できた。【選択図】図１
2010020152.tif 000002
【特許請求の範囲】
【請求項１】
内照式看板に関するもので、電源に、ソーラーモジュール（又は、太陽光モジュールともいう。以下省略）を利用し、発電、その電力を充放電式電池に、蓄電、必要に応じ、ＬＥＤライトを要した内照式看板文字を表示するもので、他からの電源設備が不要で、サイズ、種類や看板構成には半透明品使用の他、特定品はなく、設置も容易な構造を特徴とする、ソーラー充放電式ＬＥＤ内照看板。
【請求項２】
電源には、直流のソーラーモジュールの他、家庭用の交流のＡ.Ｃ電源もＤ.Ｃ変換アダプターを通じ、バッテリーへの充電が可能で、ソーラーモジュールには、硬質と軟質用を使用。コントローラーシステムを通じ、充放電式バッテリーと満充電ランプ及びＬＥＤライトには、曲げが自由な、軟質パイプ型を連動、利用とし、携帯用案内板への充電使用ソケットを添え、看板面の材質は、半透明で、文字面の鮮明表示が可能なシート５枚合せとし、看板全体を硬質式や、折れ曲げ、巻き揚げ式と自由な製作ができ、移動利用が容易構造を特徴とした、請求項１に記載するソーラー充放電式ＬＥＤ内照看板。
【発明の詳細な説明】
【技術分野】
【０００１】
本発明は、電源に、ソーラーモジュールを利用し、発電、その電力を充放電式電池に蓄電、必要に応じ、ＬＥＤライトを要した内照式看板文字を表示するもので、他からの電源設備が不要で、サイズ、種類や看板構成には、半透明品使用の他、特定品はなく、設置も容易な構造を特徴とする、ソーラー充放電式ＬＥＤ内照看板に関するものである。
【背景技術】
【０００２】
従来から、案内表示は、祭り、公演会、パーティ、車の展示販売会など１日〜７日間など、短期間で、しかも開催地が移動、更に開催時間が昼夜に及んで開かれ、会場も屋外、屋内と一定しない場合もあり、車の宣伝カーや、拝み看板を置く方法が主流であった。これら車の宣伝カーも高額費用となり、拝み看板も人手が必要で使用後の収納場所も広く必要で、保管がしにくい欠点があった。
【０００３】
特に、いろいろな開催の、目的、テーマ、主催者名、地区などの表示を昼夜でき、設置、移動、保管が容易で、主催者の重要な旗印となる表示方法の看板が求められている。
【０００４】
特に住民地区別の自治会活動において、地区別の集会、小宴会、お祭り、スポーツの反省会などでは、昼夜を問わず、計画、開催され、年ごとにお世話する方が交代制となる為、いろいろな表示看板や表示板は軽量、且つ巻き締めできる方法が最適である。
【０００５】
最近では、高齢者の孤独死も多発しており、又、若者の凶悪な犯罪も多発している中で、地域の住民のふれあいの場を作り、いろいろな心の悩みや不安など、地域みんなで助け合う場を計画、年に１〜２回行う方法はどうすれば出来るかが課題となっている。
【０００６】
この様な背景の中、いろいろな集会、宴会、展示会、お祭り、地域のふれあい集会に必要な表示が出来る方法として表示が自由で、設置や移動が手軽に出来る旗印になる看板の開発が求められていた。
【０００７】
今回の看板は移動や移設又は、収納がしやすい内照式看板の開発製作である為、文字面照明用のＬＥＤ光の電源が必要であり、その電源を、電源設備不要のソーラーモジュールを利用し発電、エコ発電の環境改善の実用化事例にも普及を図るべく、これらの要望や改善をしたり、新機構装置として実用化する為に、次の発明がなされたものである。
【０００８】
参考文献は次の通りである。
【特許文献１】特許出願２０００−６９８２９
【特許文献２】特許出願平１１−３３７１６０
【特許文献３】特開２００１−３３１１３４ソーラー電光表示、ソーラー時計表示などで別にシートそのものの自己発色を利用した文字板等で、完全な移動、ソーラー内照用の携帯がしやすい看板装置は実用化されていない。
【発明の開示】
【発明が解決しようとする課題】
【０００９】
解決しようとする問題点は、
（イ）地域の自治会の集会、公演会、パーティ、車など商品の展示会、スポーツの反省会、お祭りなどで、旗印となる看板が必要であるが、どうすればできるか。
（ロ）設置、移動、収納に便利な看板が必要であるが、どの様な構造にすればよいか。
（ハ）昼夜利用できる作りと電源設置がない場所での電源の確保と、製作コストを安価にする為にはどの様にすればよいか。
本発明は、これらの課題を解決し、実現する事を目的にしている。
【課題を解決するための手段】
【００１０】
請求項１の発明は、電源にソーラーモジュールを利用し、発電、その動力を充放電式電池に蓄電、必要に応じ、ＬＥＤライトを要した内照式看板文字を表示するもので、他からの電源設備が不要で、サイズ、種類や、看板構成には半透明品使用の他、特定品はなく、設置も容易な構造を特徴とするソーラー充放電式ＬＥＤ内照看板を提供するものである。
【００１１】
請求項２の発明は、電源には、直流のソーラーモジュールの他、家庭用の交流のＡ.Ｃ電源もＤ.Ｃ交換アダプターを通じ、バッテリーへの充電が可能で、ソーラーモジュールには、硬質と軟質用を使用、コントローラーシステムを通じ、充放電式バッテリーと満充電ランプ及びＬＥＤライトには、曲げが自由な、軟質パイプ型を連動利用とし、携帯用案内板への充電使用ソケットを添え、看板面の材質は半透明品で、文字面の鮮明表示が可能な、シート５枚合せとし、看板全体を硬質式や、折れ曲げ、巻き揚げ式と自由な製作ができ、移動利用が容易構造を特徴とした、請求項１に記載するソーラー充放電式ＬＥＤ内照看板を提供するものである。
【発明の効果】
【００１２】
次の発明効果が考えられる。
（イ）硬質材を使用したものは小型で強度がある看板ができ、軟質材では巻き締め式の看板で、いずれも、ヒモでの吊り下げや金具仕様の取付などがしやすく、いろいろな目的の旗印として利用可。
（ロ）主力は看板枠がない為、軟質シート５枚合せで巻き締め式は軽く、移動収納ができる。
（ハ）ソーラー電池式で昼夜利用でき、設置に移動と場所選定は自由にでき、コスト的にも看板枠がなく安価でできる。
【発明を実施するための最良の形態】
【００１３】
本願発明の名称は、ソーラー充放電式ＬＥＤ内照看板で、主な目的は地域住民の方が、自治会、集会、スポーツ、お祭り、小、大パーティ、ふれあい会などにおいて、目的別の旗印となる、ソーラー発電を利用した内照式の看板で、硬質型もあるが、軟式シート型は巻き締めができ、移動や収納がしやすい、構造で、お世話するスタッフの案内板も内照式となっており、最良の形態で全体にコンパクトでデザインも良い形状となっている。
【００１４】
以下、本願発明の実施の形態を図１〜図１１に基づいて説明する。
【００１５】
図１は本願発明の実施の形態を示す、ソーラー充放電式ＬＥＤ内照看板の前面姿図で、吊り下げがしやすい、上部のロープ、１、は建物の正面玄関の入口の壁やポール鉄柱型の柱にも吊り下げられる構造である。
【００１６】
図１の２はＲ曲げがしやすい、軟質ソーラーモジュールを使用、下の３は硬質ソーラーモジュールで、４は左右にあるがネジ巻きキャップで、中の物を取り出す時に利用、５は看板面の半透明シートで、６は、そのシートの固定ビス、７は電源スイッチで、内照用のＬＥＤライトの入り、切りスイッチで、８は電池の満充電表示ランプで、９は、文字表示用シートで、印刷か、文字のみのカット文字を張り合わせ使用、１０の文字がその印刷文字で、１１は地域名又は開催場所名を使用都度、張り表示ができる構造である。
【００１７】
図２は正面部分断面図で、１２は、ソーラー発電を利用しない場合、交流電源ソケットで、ネジ巻きソケット４を開けて、ソケットを引き出して利用、１３の交流電気を直流電気に変換する直流変換アダプターである。
【００１８】
図２の１４は、充放電型バッテリーで、ＬＥＤライトをクリアーパイプに挿入した物が１５で、このＬＥＤライトの照明で、５、９、のシートを照らし、文字１０も浮き出て見る効果がある。
【００１９】
図３は、背面図で一部断面図で表示、１６はコントローラーで、２、３のソーラー発電の電気をばってりーに充電、更に、ばってりーからＬＥＤライトへの放電をコントロール（又はコントローラーとも言う）する装置で、１７は、外部、アタッチメント（付属品の意味）への充電ソケット部である。
【００２０】
図４は、左側面図であるが、３はソーラーモジュール、４は、キャップ、６は固定ビス、７はスイッチで構成している。
【００２１】
図５は、右側面図は、わかりやすく拡大図で示せば、１８の厚物シート材を置き、両サイドに９の透明シート材を使用、１７は外部充電ソケットの差し込み口で、接着のりや６の固定ネジで固定保持する。９は文字を印刷するか、文字切りシートを張ることもできるシートで、全体を５層のシートで構成している。
【００２２】
図６は、上部吊りロープを省略した平面図で、１９はコントローラー、充放電電池を入れる中パイプで、１、２、４は図１の通りであるが、２は曲げやすいソーラーモジュールを使用している。
【００２３】
図７は、底面図で、図６の２の曲げやすいソーラーモジュールではなく、硬質ソーラーモジュール３を両面使用、看板全体のサイズにより、ソーラーモジュールの取付量については適宜決定する。
【００２４】
図８は、電気配線配置部分断面図で、２０は、外部充電ソケットで、外部アタッチメント品への充電バッテリーのプラス電流の逆流を防止する為の部品で、２１は各部材への接続銅線を示し、特にクリアーゴム管使用のＬＥＤライト１５は、必要に折り曲げが可能で、接着材で固定でき、更に、表面文字の照明が必要な箇所のみＬＥＤライトで照らし、ライトのサイズも大、中、小と選別できる。１、２、３、４、５、６、７、８、１０、１２、１３、１４、１５、１６、１７、１８は、図１、２、３、に表示している通りである。
【００２５】
図９は、携帯用案内板（アタッチメント品）で、いろいろな集会、イベント、スポーツ、自治会、祭り、などを企画、運営する、スタッフがストラップのヒモに吊るして利用するもので、夜間もスタッフの担当者と識別できる、ＬＥＤライト内照式携帯用案内板である。
【００２６】
図９のその１図が、その案内板の正面図で、２２は案内板半透明ケースで、２２は吊り下げストラップ通し穴である。その２図は背面図で、２４は差し込み用充電ソケットへの差し込み、方向、回転式接続受電伸管棒で、右の収納状態より左へ方向転換し、看板本体からの充電ソケットへ差し込み充電する。収納は逆に右へ倒しておく方法である。７はスイッチである。
【００２７】
その３図は、２２の半透明ケースは、２重構になっており、２２のケースを右へずらせば、２５のプラスチックス中ケースがあり、１４の充放電バッテリーと小型のクリアーパイプＬＥＤライト１５がある。２６は名前表示、スペースである。その４図は、左側面図で、プラスチックケースの２２は、２５のプラスチック中ケースを大半囲っており、落下することなく、開閉もしやすい。
【００２８】
図１０は、携帯案内板と看板本体との充電方法展開図で、看板本体の１７である外部充電ソケットの穴に、携帯案内板ケース２２の底部についている２４の方向回転式接続受電伸管棒を差し込み、携帯案内板の方に充電するもので、高い電圧は低い電圧の方へ流れる利点を利用し充電する平均３０〜４０分で充電が完了、２０のダイオードがあり、電流の逆流はない。
【００２９】
図１１は、Ｄ、Ｃ、１．２Ｖ用の配線系統図で、図により概況を説明すれば、次の通りで、アダプターの交流から直流電気に変換装置１３を経由し、コントローラーの中に入れられる。
【００３０】
コントロールボックスの中のコントローラーについては、ソーラーモジュール（１）、同（２）の発電もコントローラーに取り込まれ、バッテリーへの充放電からＬＥＤライトへの送電など、すべて、シリコン素子により連動しており、満充電の８ランプも連係されており、スイッチ７をオン、オフする事で、その操作は働くもので、ＬＥＤライトのオフ時にソーラー発電が作動、充電を行なう構造である。
【００３１】
ＬＥＤライト（１）は、Ｒに曲がっているがクリアーパイプがＬＥＤライトを装着されており、接着材により自由に形状でき、ＬＥＤライト（２）、同、３においても、長さ、ライトの大きさも自由に選定でき、看板の表面の表示文字に応じて証明する為、電力使用を最小限に節約できる省エネルギーの装置である。
【産業上の利用可能性】
【００３２】
短期的に、イベントや催し物を表示アピールする方法は、宣伝カーや入口の門型のアーチや拝み看板、に捨看板の「のぼり」型が従来は大半であった。
これは、ある程度資金的に宣伝費用に余力がある催し物に限られ、大手企業や国内外の大型マラソン大会や、道路開通などの記念事業に向くものである。
【００３３】
これら大会や大型イベントより小規模で、公民館活動や地域の小スポーツ祭、地域祭、自治会主催の集会などに利用できる表示看板の出現が求められていた。
【００３４】
本願発明のソーラー充放電式ＬＥＤ内照看板は、内照式で昼夜利用でき、設置、移動、収納は、内照式で昼夜利用でき、設置、移動、収納がしやすく、特に地域と近所の「ふれあいパーティ」などの利用が可能で地域の住民の交流の旗印看板としての利用ができる。
【００３５】
更に、ソーラー発電を主力にしており、住民、地域の自然エネルギーへの感心度を高め、地域住民の交流促進と、地球温暖化防止への環境改善向上と地域住民生活の活性化効果が期待できる。
【図面の簡単な説明】
【００３６】
【図１】本発明の実施携帯を示すソーラー充放電式ＬＥＤ内照看板前面姿図
【図２】同正面部分断面図（以下同を省略する）
【図３】背面図（一部断面図含）
【図４】左側面図
【図５】右側面拡大図
【図６】上部吊りロープを省略した平面図
【図７】底面図
【図８】電気配線配置部分断面図
【図９】携帯案内板（アタッチメント品）          （その１図）正面図          （その２図）底面図          （その３図）開閉外観図          （その４図）左側面部分断面図
【図１０】携帯案内板と看板本体との充電方法展開図
【図１１】配線系統図（ＤＣ、１．２Ｖ）
【符号の説明】
【００３７】
１．吊り下げ用ロープ
２．軟質ソーラーモジュール
３．硬質ソーラーモジュール
４．ネジ巻きキャップ
５．半透明シート
６．シート固定ビス
７．スイッチ
８．電池の満充電ランプ
９．看板文字表示シート
１０．印刷又はカット文字
１１．地域名（又は開催場所名）
１２．交流電源ソケット
１３．交流から直流変換アダプター
１４．充放電バッテリー
１５．クリアーパイプ挿入型ＬＥＤライト
１６．コントロールＢＯＸ（又はコントローラーとも言う）
１７．外部充電ソケット（差し込み口）
１８．厚物シート材
１９．中パイプ
２０．ダイオード
２１．接続銅線
２２．案内板半透明ケース
２３．ストラップ用通し穴 
２４．方向回転式接続受電伸管棒
２５．ブラスチック中ケース
２６．名前表示
【図１】
2010020152.tif 000003
【図２】
2010020152.tif 000004
【図３】
2010020152.tif 000005
【図４】
2010020152.tif 000006
【図５】
2010020152.tif 000007
【図６】
2010020152.tif 000008
【図７】
2010020152.tif 000009
【図８】
2010020152.tif 000010
【図９】
2010020152.tif 000011
【図１０】
2010020152.tif 000012
【図１１】
2010020152.tif 000013